(57)【要約】      （修正有）【課題】シャッター速度を長秒に設定していた時のタイムラプス撮影の再開で、シャッター速度を再設定しなくてもすむ、ユーザーフレンドリーな操作系を提供する。【解決手段】撮像装置が静止画状態下の場合、記憶手段から静止画用の露出設定値を読出して設定を行い、撮像装置が動画状態下の場合、記憶手段より動画用の露出設定値を読出して設定を行い、タイムラプス動画機能の設定手段の結果、タイムラプス機能が動作可能になっている場合は、撮像装置が動画状態下の場合であっても、記憶手段より静止画用の露出設定値を読出して設定を行うように制御する。【選択図】図３
2018085669.tif 000002
【特許請求の範囲】
【請求項１】
ライブビュー表示および動画記録可能な撮像装置において、
動画可能状態遷移部材（２１２）と、
前記撮像装置が静止画状態下で設定される静止画用露出設定値と、
前記撮像装置が動画状態下で設定される動画用露出設定値と、
前記静止画用露出設定値と前記動画用露出設定値を設定する設定手段（２０２）と、
複数の画像から一つの動画ファイルを作成するタイムラプス動画機能の設定手段（２５）と、
前記静止画用露出設定値と前記動画用露出設定値を保持する記憶手段（３８）と、
前記設定手段操作時に、
前記撮像装置が静止画状態下の場合、前記記憶手段より静止画用の露出設定値を読出して設定を行い、前記撮像装置が動画状態下の場合、前記記憶手段より動画用の露出設定値を読出して設定を行い、前記タイムラプス動画機能の設定手段の結果、タイムラプス機能が動作可能になっている場合は、前記撮像装置が動画状態下の場合であっても、前記記憶手段より静止画用の露出設定値を読出して設定を行うように制御する制御手段（４０）、
とを有することを特徴とする撮像装置。
【請求項２】
前記露出設定値は、シャッター速度、絞り値、ＩＳＯ感度、露出補正値であることを特徴とする、請求項1に記載の撮像装置。
【請求項３】
前記タイムラプス動画機能の設定手段は、ＧＵＩ画面上で設定することを、特徴とする、請求項1に記載の撮像装置。
【請求項４】
動画可能状態遷移部材と、前記撮像装置が静止画状態下で設定される静止画用露出設定値と、前記撮像装置が動画状態下で設定される動画用露出設定値とを具備するライブビュー表示および動画記録可能な撮像装置において、
前記静止画用露出設定値と前記動画用露出設定値を設定する設定工程（２０２）と、
複数の画像から一つの動画ファイルを作成するタイムラプス動画機能の設定工程（２５）と、
前記静止画用露出設定値と前記動画用露出設定値を保持する記憶工程（３８）と、
前記設定手段操作時に、
前記撮像装置が静止画状態下の場合、前記記憶工程より静止画用の露出設定値を読出して設定を行い、前記撮像装置が動画状態下の場合、前記記憶工程より動画用の露出設定値を読出して設定を行い、前記タイムラプス動画機能の設定工程の結果、タイムラプス機能が動作可能になっている場合は、前記撮像装置が動画状態下の場合であっても、前記記憶工程より静止画用の露出設定値を読出して設定を行うように制御する制御工程（４０）、とを有することを特徴とする撮像装置の制御方法。
【請求項５】
前記露出設定値は、シャッター速度、絞り値、ＩＳＯ感度、露出補正値であることを特徴とする、請求項４に記載の撮像装置
【請求項６】
前記タイムラプス動画機能の設定手段は、ＧＵＩ画面上で設定することを、特徴とする、請求項５に記載の撮像装置。
【請求項７】
請求項４乃至６のいずれか１項に記載の撮像装置の制御方法をコンピュータに実行させる為のコンピュータプログラム。
【発明の詳細な説明】
【技術分野】
【０００１】
本発明は、電子スチルカメラ等の撮像装置に関し、特に露出設定値の制御方法に関するものである。
【背景技術】
【０００２】
近年の撮像装置は、静止画と動画、両方の撮影が可能となっているが、さらにタイムラプス動画が撮影可能となる機種が普及してきている。通常、動画時のシャッタースピードの設定は、1/フレームレート〜1/8000までとなるが、タイムラプス動画の場合は、長秒まで設定が可能となる。故に、動画状態であっても、タイムラプス設定をオンにすることで、長秒までの設定が可能となる。
【０００３】
しかし、シャッタースピードを長秒まで設定した後、逆にタイムラプス設定をオフにすると、通常の動画状態に戻ることで、設定したシャッタースピードが、1/フレームレートにクリップされてしまい、再び、タイムラプス設定をオンにした時、また設定をやり直さなければならない煩わしさがある。
【０００４】
動画時と静止画時でのシャッター速度に関する発明では、例えば特許文献１のように、動画状態に遷移した時、静止画状態で設定したシャッター速度からフレームレートを決定する手法が開示されている。こうすることで、動画状態に遷移しても静止画時のシャッター速度は変更されなくなる。
【先行技術文献】
【特許文献】
【０００５】
【特許文献１】特開２００８−３０１２８６号公報
【発明の概要】
【発明が解決しようとする課題】
【０００６】
しかし、特許文献１に開示された技術では、動画状態に遷移した時に、フレームレートより高速側のシャッター速度が設定されていた場合は、シャッター速度は変更されなくなるが、フレームレートより長秒側のシャッター速度が設定されていた場合には、やはりシャッター速度は、1/フレームレートにクリップされてしまう。故に現状では、シャッター速度を長秒に設定していた時のタイムラプス撮影の再開で、シャッター速度を再設定しなければならない煩わしさが、課題として残されている。
【課題を解決するための手段】
【０００７】
上記問題点を解決するため、ライブビュー表示および動画記録可能な撮像装置において、動画可能状態遷移部材と、前記撮像装置が静止画状態下で設定される静止画用露出設定値と、前記撮像装置が動画状態下で設定される動画用露出設定値と、前記静止画用露出設定値と前記動画用露出設定値を設定する設定手段と、複数の画像から一つの動画ファイルを作成するタイムラプス動画機能の設定手段と、前記静止画用露出設定値と前記動画用露出設定値を保持する記憶手段と、前記設定手段操作時に、前記撮像装置が静止画状態下の場合、前記記憶手段より静止画用の露出設定値を読出して設定を行い、前記撮像装置が動画状態下の場合、前記記憶手段より動画用の露出設定値を読出して設定を行い、前記タイムラプス動画機能の設定手段の結果、タイムラプス機能が動作可能になっている場合は、前記撮像装置が動画状態下の場合であっても、前記記憶手段より静止画用の露出設定値を読出して設定を行うように制御する制御手段、とを有することを特徴とする撮像装置。
【発明の効果】
【０００８】
本発明によれば、タイムラプス設定の再開時にシャッタースピードの再設定をする必要が無くなり、ユーザーフレンドリーな操作性を提供出来る。
【図面の簡単な説明】
【０００９】
【図１】本発明の第１実施形態としての撮像装置の構成ブロック図である。
【図２】(ａ)、(ｂ)は、本発明の第１実施形態としての撮像装置の外観図である。
【図３】撮像装置の状態を判別して、露出値を変更するフローチャートである。
【図４】ライブビューを開始する際のフローチャートである。
【図５】露出値を変更するフローチャートである。
【図６】変更対象の露出値を決定するフローチャートである。
【図７】タイムラプス動画の設定を行うＧＵＩ画面のイメージ図である。
【図８】（ａ）静止画時のシャッター速度の変更を行う際に参照されるテーブルである。（ｂ）動画時のシャッター速度の変更を行う際に参照されるテーブルである。（ｃ）絞り値の変更を行う際に参照されるテーブルである。（ｄ）ＩＳＯ感度の変更を行う際に参照されるテーブルである。（ｅ）露出補正値の変更を行う際に参照されるテーブルである。
【図９】（ａ）シャッター速度を３０秒に設定した時のタイムラプス動画時のライブビュー画面のイメージ図である。（ｂ）シャッター速度を２５秒に設定した時のタイムラプス動画時のライブビュー画面のイメージ図である。
【図１０】（ａ）シャッター速度を１／４０に設定した時の動画記録時のライブビュー画面のイメージ図である。（ｂ）シャッター速度を１／５０に設定した時の動画記録時のライブビュー画面のイメージ図である。
【図１１】（ａ）シャッター速度を３０秒に設定した時の静止画撮影時のライブビュー画面のイメージ図である。（ｂ）シャッター速度を２５秒に設定した時の静止画撮影時のライブビュー画面のイメージ図である。
【発明を実施するための形態】
【００１０】
以下に、本発明の好ましい実施の形態を、添付の図面に基づいて詳細に説明する図１は本発明の一実施形態としての撮像装置２００の構成ブロック図である。
【００１１】
レンズユニット１００は、交換可能な撮影レンズを搭載するレンズユニットである。レンズ５は通常、複数枚のレンズから構成されるが、ここでは簡略して一枚のレンズのみで示している。通信端子６はレンズが撮像装置側と通信を行う為の通信端子であり、通信端子１０は撮像装置がレンズ側と通信を行う為の通信端子である。レンズユニット１００は、この通信端子６，１０を介してマイクロコンピュータ４０と通信し、内部のレンズシステム制御回路４によって絞り駆動回路２を介して絞り１の制御を行い、ＡＦ駆動回路３を介して、レンズ５の位置を変位させることで焦点を合わせる。
【００１２】
また、マイクロコンピュータ４０は、この通信端子６，１０を介して、レンズユニット１００の開放絞り値、及び最小絞り値を取得する。ＡＥセンサー１５は、レンズユニット１００を通した被写体の輝度を測光する。ＡＦセンサー１１は、マイクロコンピュータ４０にデフォーカス量情報を出力する。マイクロコンピュータ４０はそれに基づいてレンズユニット１００を制御する。クイックリターンミラー１２は、露光の際にマイクロコンピュータ４０から指示されて、不図示のアクチュエータによりアップダウンされる。
【００１３】
撮影者は、ペンタプリズム１４とファインダー１６を介して、フォーカシングスクリーン１３を観察することで、レンズユニット１００を通して得た被写体の光学像の焦点や構図の確認が可能となる。フォーカルプレーンシャッター１７は、マイクロコンピュータ４０の制御で撮像素子２０の露光時間を自由に制御できるフォーカルプレーンシャッターである。
【００１４】
光学フィルター１８は一般的にローパスフィルターなどから構成され、フォーカルプレーンシャッター１７より入ってくる光の高周波成分をカットして、撮像素子２０に被写体像を導光する。撮像素子２０は、一般的にＣＣＤやＣＭＯＳ等が用いられる撮像素子であり、レンズユニット１００を通して撮像素子２０上に結像された被写体象を光電変換して電気信号として取り込む。ＡＭＰ回路２１は、取り込まれた電気信号に対して、設定されている撮影感度に応じたゲインで撮影信号を増幅する。Ａ／Ｄ変換回路２２は撮像素子２０によって電気信号に変換されたアナログ信号をデジタル信号に変換する。
【００１５】
画像処理回路２３は、Ａ／Ｄ変換回路２２によってデジタル信号に変換された画像データに対して、フィルター処理、色変換処理、ガンマー／ニー処理を行い、メモリコントローラ２７に出力する。また、画像処理回路２３はＤ／Ａ変換回路も内蔵している。画像処理回路２３はＡ／Ｄ変換回路２２によってデジタル信号に変換された画像データやメモリコントローラ２７により入力される画像データをアナログ信号に変換して液晶駆動回路２４を介して液晶表示部２５に出力することもできる。
【００１６】
これらの画像処理回路２３による画像処理及び表示処理は、マイクロコンピュータ４０により切り替えられる。また、マイクロコンピュータ４０は、撮影画像のカラーバランス情報をもとにホワイトバランス調整を行う。液晶表示部２５は画像を表示するための背面モニタである。画像を表示するディスプレイであれば液晶方式に限らず、有機ＥＬなど他の方式のディスプレイであってもよい。
【００１７】
メモリコントローラ２７は、画像処理回路２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理回路２３に出力したりもする。また、メモリコントローラ２７は、外部インタフェース２９を介して送られてくる画像データを記録媒体２８に格納したり、逆に記録媒体２８に格納されている画像データを外部インタフェース２９を介して外部に出力することも可能である。
【００１８】
外部インターフェースとしては、ＵＳＢ、ＩＥＥＥ、ＨＤＭＩ（登録商標）などのインターフェースが例として挙げられる。記録媒体２８は、メモリカードなどの着脱可能な記録媒体である。ただし内蔵メモリであってもよい。タイミング制御回路３２を介してマイクロコンピュータ４０は、撮像素子２０の駆動タイミングを制御する。
【００１９】
電源制御回路３５は、ＡＣ電源部３０、もしくは２次電池部３１より供給され電源を制御する回路である。電源制御回路３５はマイクロコンピュータ４０から指示を受けて電源のオンオフを行う。また電源制御回路３５は電源状態検知回路３４により検知された現在の電源状態の情報や電源種類検知回路３３により検知された現在の電源の種類の情報をマイクロコンピュータ４０に通知することも行う。マイクロコンピュータ４０はシャッター制御回路３６を介してフォーカルプレーンシャッタ−１７を制御する。
【００２０】
光学フィルター振動制御回路３７は、光学フィルター１８に接続されている圧電素子１９を振動させる回路である。振動の振幅、振動時間、振動の軸方向をそれぞれ所定の値で圧電素子を振動させるように、マイクロコンピュータ４０の指示に従い振動させる。不揮発性メモリ３８は不揮発性の記録媒体であり、ユーザーが任意に設定したシャッター速度、絞り値、撮影感度などの設定値やその他の各種データを撮像装置に電源が入れられていない状態でも、保存することができる。
【００２１】
揮発性メモリ３９は、撮像装置の内部状態や着脱可能な記録媒体２８の情報など、一時的に記憶しておきたいデータを保存しておく。４１は、ファインダー内液晶表示部で、ファインダー内液晶駆動回路４２を介して、現在オートフォーカスが行われている測距点を示す枠や、カメラの設定状態を表すアイコンなどが表示される。４３は、ファインダー外液晶表示部で、ファインダー外液晶駆動回路４４を介して、シャッター速度や絞りをはじめとするカメラの様々な設定値が表示される。
【００２２】
操作部７０は、ユーザーからの操作を受け付ける入力部としての各種操作部材である。操作部７０には、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９、シングル／マルチ切り替え釦２１０、マルチコントローラ２１１。
【００２３】
マイクロコンピュータ４０は、撮像装置２００に含まれる各部を制御する制御部である。マイクロコンピュータ４０は、不揮発性メモリ３８に記録されたプログラムを、揮発性メモリ３９をワークメモリとして展開し、実行することで後述の各種処理を実行する。
図２（ａ）は、撮像装置全体２００の正面からの外観形状を示した図であり、図２（ｂ）は、撮像装置全体２００の背面からの外観形状を示した図である。図１と共通する部分は、同じ記号で示している。
【００２４】
レリーズ釦２０１は、撮影の準備指示及び撮影指示を行うための釦であり、釦を半押しすることで、被写体の輝度の測定や合焦を行う。また、釦を全押しすることでシャッターが切られ画像の撮影が行われる。
【００２５】
メイン電子ダイヤル２０２は回転操作部材であり、ユーザーは、このメイン電子ダイヤル２０２を回すことでシャッター速度や絞りなどの設定値の設定を行ったり、拡大モードでの拡大倍率の微調整を行う。サブ電子ダイヤル２０３は回転操作部材であり、ユーザーは、このサブ電子ダイヤル２０３を回すことで絞りや露出補正などの設定値の設定を行ったり、画像表示状態での画像の１枚送り操作などを行う。
【００２６】
電源スイッチ２０４は電源のＯＮ及びＯＦＦを行うための操作部材である。プロテクト釦２０５は、撮像装置内外の記録媒体に保存されている画像に対して、プロテクトやレーティングといった処理を施す為の釦である。メニュー釦２０６は、各種設定画面を液晶表示部２５に表示させる為の釦である。削除釦２０７は、撮像装置内外の記録媒体に保存されている画像に対して、削除を指示する釦である。拡大モード釦２０８は、再生状態において、拡大モードへの遷移指示（拡大モードの開始指示）、及び拡大モードから抜ける指示（拡大モードの終了指示）を行う操作を受付ける釦である。
【００２７】
再生指示釦２０９は、撮像装置内外の記録媒体に保存されている画像を液晶表示部２５に表示させる釦である。測距点選択釦２１０は、オートフォーカスの開始ポイントである測距点を選択するモードに入る為の釦である。マルチコントローラ２１１は、オートフォーカスの開始ポイントである測距点の設定を行ったり、拡大画像表示状態において、拡大枠（拡大している範囲）の移動を行ったりするための複数方向に操作可能な操作部材である。
【００２８】
動画レバー２１２は、撮像装置を動画記録可能状態に遷移させる為の部材である。ユーザーは、このレバーを動画側に倒すことによって、撮像装置は動画記録を開始することが可能な状態になる。以下、この動画記録可能な状態を、動画ライブビュー状態と呼ぶこととする。動画開始釦２１３は、動画記録を開始する為の部材である。
【００２９】
［実施例］
以下、図３、図４、図７を参照して、本発明の実施例による、タイムラプス撮影時、静止画撮影と動画記録時の露出値の変更の基本の流れについて説明する。まずステップＳ１００で、動画レバー２１２が動画側にあるか否か判定し、動画側にあればステップＳ１０１に進み、そうでなければステップＳ１０３に進む。ステップＳ１０１で、不揮発性メモリ３８から読みだされるタイムラプス設定がオンであるか否か判定し、オンであればステップＳ１０２に進み、そうでなければステップＳ１０３に進む。なお、タイムラプスの設定は、図７に示したＧＵＩ画面より設定を行う。
【００３０】
ステップＳ１０２では、不揮発性メモリ３８から動画記録時の露出値を読み出す。露出値は、シャッター速度、絞り値、ＩＳＯ感度、露出補正である。ステップＳ１０３では、不揮発性メモリ３８から静止画撮影時の露出値を読み出す。露出値は、シャッター速度、絞り値、ＩＳＯ感度、露出補正である。ステップＳ１０４で、動画露出値の読出し状態であることを揮発性メモリ３９に記憶する。ステップＳ１０５で、静止画露出値の読出し状態であることを揮発性メモリ３９に記憶する。
【００３１】
ステップＳ１０６で、撮像装置が現在、ライブビュー表示状態であるか否か判定し、ライブビュー表示状態であれば、ステップＳ１０７に進み、そうでなければステップＳ１０８に進む。ステップＳ１０７で、ライブビューの開始処理を行う。詳細は後に詳述する。ステップＳ１０８で、露出値の変更部材である、メイン電子ダイヤル２０２又は、サブ電子ダイヤル２０３が操作されているか否か判定し、操作されていればステップＳ１０９に進み、そうでなければステップ１１０に進む。
【００３２】
ステップＳ１０９で、露出値の変更処理を行う。詳細は後に詳述する。ステップＳ１１０で、電源スイッチ２０４がオフであるか否か判定し、オフでなければステップＳ１００に進み、そうでなければ終了する。
【００３３】
次に、図４を参照して、ライブビュー状態に遷移する動作について、説明する。まずステップＳ２００では、マイクロコンピュータ４０から指示し、クイックリターンミラー１２をアップさせる。ステップＳ２０１では、設定されている絞り値をマイクロコンピュータ４０より通信端子６，１０を介して、レンズシステム制御回路４へ送信し、絞り駆動回路２を介して絞り１を絞り込ませる。ステップＳ２０２では、マイクロコンピュータ４０から指示し、フォーカルプレーンシャッター１７を開く。
【００３４】
ステップＳ２０３では、設定されているシャッター速度を基に、マイクロコンピュータ４０よりタイミング制御回路３２を介して、撮像素子２０の駆動タイミングを制御する。またAMP回路２１により、設定されているＩＳＯ値に応じたゲインで撮影信号を増幅し、A/D変換回路２２を介してデジタル信号に変換し、画像処理回路２３を介して、画像データをバッファメモリー２６に取り込む。ステップＳ２０４では、バッファメモリー２６に取り込まれた画像データをメモリコントローラ２７を介して、アナログ信号に変換して液晶駆動回路２４を介して、液晶表示部２５に出力し、撮像装置はライブビュー状態に遷移する。
【００３５】
次に、図５、図６、図８、図９、図１０、図１１を参照して、露出値の変更の詳細な流れについて説明する。図５を参照して露出値の変更の基本的な流れを説明する前に、まず図６を参照して、変更対象となる露出値の決定手法を説明する。まずステップＳ５００で、撮像装置がＩＳＯ感度の設定状態になるか否か判定し、ＩＳＯ感度の設定状態であればステップＳ５０１に進み、そうでなければステップＳ５０２に進む。
【００３６】
ステップＳ５０１で、変更対象がＩＳＯ感度であることが決定される。ステップＳ５０２で、撮像装置が露出補正の設定状態になるか否か判定し、露出補正の設定状態であればステップＳ５０３に進み、そうでなければステップＳ５０４に進む。ステップＳ５０３で、変更対象が露出補正値であることが決定される。ステップＳ５０４で、変更部材が、メイン電子ダイヤル２０２であるのか、サブ電子ダイヤル２０３であるのか判定し、メイン電子ダイヤル２０２であれば、ステップＳ５０５に進み、ステップＳ５０６であればステップＳ５０６に進む。
【００３７】
ステップＳ５０５で、変更対象がシャッター速度であることが決定される。ステップＳ５０６で、変更対象が絞り値であることが決定される。以上より、変更対象となる露出値が決定される。
【００３８】
次に、図５、図８、図９、図１０、図１１を参照して、露出値の変更の詳細な流れについて説明する。本実施例では、シャッター速度の変更について述べる。まずステップＳ４００で、変更対象となる露出値を決定する。決定方法の詳細は、先述したとおりである。
【００３９】
ステップＳ４０１で、ステップＳ１０４で記憶した動画露出読出状態を揮発性メモリ３９から読出し、動画露出読出状態であればステップＳ４０２に進み、そうでなければステップＳ４０３に進む。ステップＳ４０２で、ステップＳ４００で決定された変更対象となる動画露出値を不揮発性メモリ３８から読み出す。ステップＳ４０３で、ステップＳ４００で決定された変更対象となる動画露出値を不揮発性メモリ３８から読み出す。
【００４０】
ステップＳ４０４で、図８（ａ）、（ｂ）、（ｃ）、（ｄ）、（ｅ）に示されるテーブルより、ステップＳ４０２、またはステップＳ４０３で読みだした露出値に対応するテーブルナンバーを算出する。ステップＳ４０５で、図８（ａ）、（ｂ）、（ｃ）、（ｄ）、（ｅ）に示されるテーブルより、設定出来得る最大のシャッター速度を示すテーブルナンバーを取得する。ステップＳ４０６で、図８（ａ）、（ｂ）、（ｃ）、（ｄ）、（ｅ）に示されるテーブルより、設定出来得る最小のシャッター速度を示すテーブルナンバーを取得する。
【００４１】
ステップＳ４０７で、電子ダイヤル２０２又はサブダイヤル２０３の回転方向が正転方向か否か判定し、正転方向であればステップＳ４０８に進み、反転方向であればステップＳ４０９に進む。ステップＳ４０８では、ステップＳ４０４で算出したテーブルナンバーをインクリメントする。ステップＳ４０９では、ステップＳ４０４で算出したテーブルナンバーをデクリメントする。
【００４２】
ステップＳ４１０では、ステップＳ４０８でインクリメントしたテーブルナンバーが、ステップＳ４０６で取得したテーブルナンバーを上回っているか否か判定し、上回っていればステップＳ４１２に進み、上回っていなければステップＳ４１４に進む。ステップＳ４１２では、ステップＳ４０８でインクリメントしたテーブルナンバーをデクリメントする。
【００４３】
ステップＳ４１１では、ステップＳ４０９でデクリメントしたテーブルナンバーが、ステップＳ４０５で取得したテーブルナンバーを下回っているか否か判定し、下回っていればステップＳ４１３に進み、下回っていなければステップＳ４１４に進む。ステップＳ４１３では、ステップＳ４１１でデクリメントしたテーブルナンバーをインクリメントする。ステップＳ４１４では、ステップＳ４０８〜ステップＳ４１３で算出されたテーブルナンバーと、図８（ａ）〜（ｅ）に示されるテーブルより、露出値を算出し、新たな露出値として設定する。
【００４４】
図９に、変更対象となる露出値がシャッター速度で、静止画時のシャッター速度が３０秒、タイムラプス動画のフレームレートが３０ｆｐｓだった場合に、シャッター速度を３０秒から２５秒に変更した場合のタイムラプス撮影時のライブビュー画面のイメージ図を示した。
【００４５】
図１０に、変更対象となる露出値がシャッター速度で、動画時のシャッター速度が１/４０、動画記録時のフレームレートが３０ｆｐｓだった場合に、シャッター速度を１/４０から１/５０に変更した場合の動画記録時のライブビュー画面のイメージ図を示した。図１１に、変更対象となる露出値がシャッター速度で、静止画時のシャッター速度が３０秒だった場合に、シャッター速度を３０秒から２５秒に変更した場合の静止画撮影時のライブビュー画面のイメージ図を示した。
【００４６】
当然ではあるが、ＩＳＯ感度、絞り値、露出補正値も、述べてきたシャッター速度の設定変更と同様に制御することが、可能である。
【００４７】
以上、示してきたように露出値の設定を制御することで、静止画撮影時の露出値と動画時の露出値の設定を別々に行うことが可能となり、且つタイムラプス撮影時での露出値変更は、静止画撮影時の露出値変更と同じように行うことが可能となる。
【００４８】
以上、本発明の好ましい実施形態について説明したが、本発明はこれらの実施形態に限定されず、その要旨の範囲内で種々の変形及び変更が可能である。
【００４９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５０】
１  絞り
２  絞り駆動回路
３  ＡＦ駆動回路
４  レンズシステム制御回路
５  レンズ
６  レンズ側通信部
１０  カメラ側通信部
１１  ＡＦセンサー
１２  ミラー
１３  フォーカシングスクリーン
１４  ペンタプリズム
１５  ＡＥセンサー
１６  アイピースユニット
１７  フォーカルプレーンシャッター
１８  光学フィルター
１９  圧電素子
２０  撮像素子
２１  ＡＭＰ回路
２２  Ａ／Ｄ変換回路
２３  画像処理回路
２４  液晶駆動回路
２５  液晶表示部
２６  バッファメモリー
２７  メモリーコントローラ
２８  外部メモリー
２９  インタフェース
３０  ＡＣ電源部
３１  ２次電池部
３２  タイミング制御回路
３３  電源種類検知回路
３４  電源状態検知回路
３５  電源制御回路
３６  シャッター制御回路
３７  光学フィルター振動制御回路
３８  不揮発性メモリ
３９  揮発性メモリ
４０  マイクロコンピュータ
４１  ファインダー内液晶表示部
４２  ファインダー内液晶駆動回路
４３  ファインダー外液晶表示部
４４  ファインダー外液晶駆動回路
７０  操作部
【図１】
2018085669.tif 000003
【図２】
2018085669.tif 000004
【図３】
2018085669.tif 000005
【図４】
2018085669.tif 000006
【図５】
2018085669.tif 000007
【図６】
2018085669.tif 000008
【図７】
2018085669.tif 000009
【図８】
2018085669.tif 000010
【図９】
2018085669.tif 000011
【図１０】
2018085669.tif 000012
【図１１】
2018085669.tif 000013